(57)【要約】【課題】本発明の課題は、施工工数を削減して光ファイバの配線を実現でき、施工効率が向上する光ファイバ配線具を提供することにある。【解決手段】本発明は、保護被覆１２が設けられた光ファイバ１１と、前記光ファイバ１１の長手方向に沿って接着され、裏面に接着剤が設けられた接着テープ１３とを具備することを特徴とするものである。【選択図】図１
2008309894.tif 000002
【特許請求の範囲】
【請求項１】
保護被覆が設けられた光ファイバと、
前記光ファイバの長手方向に沿って接着され、裏面に接着剤が設けられた接着テープと
を具備することを特徴とする光ファイバ配線具。
【請求項２】
光ファイバが長手方向に沿って収容された光ファイバ収容部材と、
前記光ファイバ収容部材の長手方向に沿って接着され、裏面に接着剤が設けられた接着テープと
を具備することを特徴とする光ファイバ配線具。
【請求項３】
光ファイバが長手方向に沿って取出し可能に収容された着脱可能な光ファイバ収容部材と、
前記着脱可能な光ファイバ収容部材の長手方向に沿って接着され、裏面に接着剤が設けられた接着テープと
を具備することを特徴とする光ファイバ配線具。
【請求項４】
光ファイバの長手方向の一部に、接着テープの一部が切除された切除部を設けたことを特徴とする請求項１に記載の光ファイバ配線具。
【請求項５】
光ファイバの長手方向の一部に、光ファイバ収容部材及び接着テープの一部が切除された切除部を設けたことを特徴とする請求項２に記載の光ファイバ配線具。
【請求項６】
光ファイバの長手方向の一部に、着脱可能な光ファイバ収容部材及び接着テープの一部が切除された切除部を設けたことを特徴とする請求項３に記載の光ファイバ配線具。
【請求項７】
光ファイバとして、光ファイバ心線と並列にテンションメンバを配置して保護被覆で覆った光ファイバを用いることを特徴とする請求項１乃至３のいずれかに記載の光ファイバ配線具。
【請求項８】
光ファイバとして、光ファイバ心線の周囲にテンションメンバを配置して保護被覆で覆った光ファイバコードを用いることを特徴とする請求項１乃至３のいずれかに記載の光ファイバ配線具。
【発明の詳細な説明】
【技術分野】
【０００１】
本発明は、例えば住宅内の壁面等に光ファイバを配線する光ファイバ配線具に関するものである。
【背景技術】
【０００２】
住宅内において光ファイバを配線する場合に光ファイバを覆うワイヤプロテクタを用いる方法がある（例えば、特許文献１参照。）。ワイヤプロテクタは壁面上に固定されるベース部材とベース部材を覆うカバー部材からなる。光ファイバはベース部材とカバー部材の間に配線される。
ワイヤプロテクタを使用する施工方法では、ドロップ光ファイバやインドア光ファイバを使用して住宅内配線を実施している。
【０００３】
【特許文献１】特開２００２−２９００７０号公報
【発明の開示】
【発明が解決しようとする課題】
【０００４】
ワイヤプロテクタによる光ファイバ配線方法では、先ずベース部材を壁面へ固定し、光ファイバを収容しながらカバー部材をベース部材へ装着していた。また、配線ルートに沿って一定の長さのベース部材とカバー部材を繋いだり切ったりしながら施工する。光ファイバを曲げて配線する箇所では曲げ部用のワイヤプロテクタが必要であり、直線部と曲げ部で部材を変えるため、施工効率が良くない。また、ワイヤプロテクタを配線ルートに沿って設置した後で光ファイバを収容するため、従来の光ファイバ配線では、施工現場において光ファイバ配線部品の設置と光ファイバの収納といった２工程が必要であり、施工効率の向上が課題であった。
【０００５】
本発明は上記の事情に鑑みてなされたもので、施工工数を削減して光ファイバの配線を実現でき、施工効率が向上する光ファイバ配線具を提供することを目的とする。
【課題を解決するための手段】
【０００６】
上記目的を達成するために本発明の光ファイバ配線具は、保護被覆が設けられた光ファイバと、前記光ファイバの長手方向に沿って接着され、裏面に接着剤が設けられた接着テープとを具備することを特徴とするものである。
【０００７】
また、本発明の光ファイバ配線具は、光ファイバが長手方向に沿って収容された光ファイバ収容部材と、前記光ファイバ収容部材の長手方向に沿って接着され、裏面に接着剤が設けられた接着テープとを具備することを特徴とするものである。
【０００８】
また、本発明の光ファイバ配線具は、光ファイバが長手方向に沿って取出し可能に収容された着脱可能な光ファイバ収容部材と、前記着脱可能な光ファイバ収容部材の長手方向に沿って接着され、裏面に接着剤が設けられた接着テープとを具備することを特徴とするものである。
【０００９】
また本発明は、前記光ファイバ配線具において、光ファイバの長手方向の一部に、接着テープの一部が切除された切除部を設けたことを特徴とするものである。
【００１０】
また本発明は、前記光ファイバ配線具において、光ファイバの長手方向の一部に、光ファイバ収容部材及び接着テープの一部が切除された切除部を設けたことを特徴とするものである。
【００１１】
また本発明は、前記光ファイバ配線具において、光ファイバの長手方向の一部に、着脱可能な光ファイバ収容部材及び接着テープの一部が切除された切除部を設けたことを特徴とするものである。
【００１２】
また本発明は、前記光ファイバ配線具において、光ファイバとして、光ファイバ心線と並列にテンションメンバを配置して保護被覆で覆った光ファイバを用いることを特徴とするものである。
【００１３】
また本発明は、前記光ファイバ配線具において、光ファイバとして、光ファイバ心線の周囲にテンションメンバを配置して保護被覆で覆った光ファイバコードを用いることを特徴とするものである。
【発明の効果】
【００１４】
本発明は、例えば住宅内の壁面等へ光ファイバを施工するための光ファイバ配線具であり、光ファイバと壁面へ接着させるテープ部を一体化した状態で施工するため、１工程で壁面への光ファイバの配線を実現でき、施工効率が向上する。また、直線部と曲げ部で同じ部材で対応できるため、施工効率が向上するだけでなく、光ファイバ配線具の低コストも可能にする。特に、紫外線硬化樹脂で被覆して透明化した光ファイバ心線を用いて配線する場合は、光ファイバ心線以外の部材も透明化することで、住宅内において配線が目立たず美観に優れた光ファイバ配線を実現することができる。
【発明を実施するための最良の形態】
【００１５】
以下図面を参照して本発明の実施の形態を詳細に説明する。
図１は本発明の第１の実施形態に係る光ファイバ配線具を示す構成説明斜視図である。図１に示すように、光ファイバ１１には紫外線硬化樹脂等よりなる保護被覆１２が設けられ、前記光ファイバ１１の保護被覆１２は長手方向に沿って接着テープ１３の表面に接着される。前記接着テープ１３裏面には接着剤が設けられる。
【００１６】
すなわち、住宅内の壁面へ光ファイバ１１を施工する場合、接着テープ１３の表面に光ファイバ１１を接着して一体化した光ファイバ配線具を用い、接着テープ１３裏面の接着剤を壁面へ接着して施工する。したがって、１工程で壁面への光ファイバ１１の配線を実現でき、施工効率が向上する。
【００１７】
光ファイバ１１の保護被覆１２として紫外線硬化樹脂を用い、且つ接着テープ１３として両面接着テープを用いた場合、光ファイバ１１の外径として、０．２５ｍｍ、０．５ｍｍ、０．９ｍｍが主に用いられる。両面接着テープの幅は光ファイバ１１の外径より大きくする。例えば、両面接着テープの幅を１ｍｍ以上とする。光ファイバ１１は両面接着テープへ沈みこんだ状態で接着している。これは円形である光ファイバ１１と両面接着テープの接着面積を増加させるためである。光ファイバ１１を接着する面について、光ファイバ１１が接着する部分以外は接着剤層が露出しない構造とする。例えば、光ファイバ１１が接着される箇所以外は予め接着剤を付与せずに両面接着テープを作製する。または、光ファイバ１１が接着されず露出する部分の接着剤層の上へシートを載せて接着剤層の露出部分を塞ぐ。接着剤層が露出することで埃が接着剤層へ付着して美感を損なうことを防ぐ効果がある。施工前は両面接着テープの壁面と接着する接着剤層側にも埃を付着させないためにシートを載せた状態とする。施工時には、両面接着テープの壁面と接着する接着剤層側のシートを剥ぎ取りながら、光ファイバ配線具を壁面へ取り付ける。
【００１８】
したがって、光ファイバ配線部品と光ファイバを一体化したため、１工程で光ファイバの配線が実現する。また、光ファイバを紫外線硬化樹脂で被覆した場合、光ファイバは透明となる。両面接着テープ部材も透明部材を使用することで光ファイバ配線具が透明となり、特に美感にすぐれた住宅内光ファイバ配線を実現できる。
【００１９】
尚、光ファイバ１１の代わりに、光ファイバ心線の周囲をテンションメンバで覆い保護被覆で覆った光ファイバコードを使用した場合にも、光ファイバ１１を使用した場合と同様に実施できる。光ファイバコードの外径は１．１ｍｍや２．０ｍｍであるため、両面接着テープの幅は、光ファイバ１１を使用した場合に比べて大きくする必要がある。例えば、光ファイバコードを使用した場合は、両面接着テープの幅を３ｍｍ以上とする。
【００２０】
図２は本発明の第２の実施形態に係る光ファイバ配線具を示す構成説明斜視図である。図２に示すように、光ファイバ心線２１の長手方向に沿って両側にはテンションメンバ２２が並列に配置され、前記光ファイバ心線２１及びテンションメンバ２２は保護被覆２３で覆われてインドア光ファイバ２４が構成される。前記保護被覆２３はは長手方向に沿って接着テープ２５の表面に接着され、前記接着テープ２５の裏面には接着剤が設けられる。
【００２１】
すなわち、住宅内の壁面へインドア光ファイバ２４を施工する場合、接着テープ２５の表面に保護被覆２３を接着して接着テープ２５とインドア光ファイバ２４を一体化した光ファイバ配線具を用い、接着テープ２４裏面の接着剤を壁面へ接着して施工する。したがって、１工程で壁面へのインドア光ファイバ２４の配線を実現でき、施工効率が向上する。
【００２２】
インドア光ファイバは断面が長方形である。長さが３ｍｍ強ある長辺側の表面に両面接着テープの片面を接着している。図２においては、インドア光ファイバと同じ幅である両面接着テープを用いているが、壁面との接着面積をより多く必要とする場合は、インドア光ファイバより幅広な両面接着テープを使用する。インドア光ファイバより幅広な両面接着テープを使用する場合は、インドア光ファイバが接着される箇所以外は予め接着剤を付与せずに両面接着テープを作製する。もしくは、インドア光ファイバが接着されず露出する部分の接着剤層の上へシートを載せる。接着剤層が露出することで埃が接着剤層へ付着して美感を損なうことを防ぐ効果がある。施工前は壁面と接着する両面接着テープ裏面の接着剤層側へ埃を付着させないためにシートを載せた状態とする。施工時には、壁面と接着する両面接着テープ裏面の接着剤層側のシートを剥ぎ取りながら、光ファイバ配線具を壁面へ取り付ける。光ファイバ配線部品とインドア光ファイバを一体化したため、１工程でインドア光ファイバの配線が実現する。
【００２３】
尚、光ファイバ１１の代わりに、光ファイバ心線と並列にテンションメンバを配置して保護被覆で覆い、さらに支持線を沿わせたドロップ光ファイバを使用した場合にも、インドア光ファイバを使用した場合と同様に実施できる。ドロップ光ファイバは支持線を分離した状態で住宅内へ引き込むため、インドア光ファイバを使用した形態と同様である。
【００２４】
図３は本発明の第３の実施形態に係る光ファイバ配線具を示す構成説明斜視図である。図３に示すように、光ファイバ３１には紫外線硬化樹脂等よりなる保護被覆３２が設けられ、前記光ファイバ３１は長手方向に沿って光ファイバ収容部材３３に収容される。前記光ファイバ収容部材３３は細長い四角柱よりなり、中心軸部に断面円形の貫通孔３４を設けて構成され、前記貫通孔３４に光ファイバ３１が挿入されて収容される。前記光ファイバ収容部材３３は接着テープ３５の表面に接着され、前記接着テープ３５の裏面には接着剤が設けられる。
【００２５】
すなわち、住宅内の壁面へ光ファイバ３１を施工する場合、接着テープ３５の表面に光ファイバ収容部材３３を接着して一体化した光ファイバ配線具を用い、接着テープ３５裏面の接着剤を壁面へ接着して施工する。したがって、１工程で壁面への光ファイバ３１の配線を実現でき、施工効率が向上する。
【００２６】
光ファイバ収容部材３３の貫通孔３４への光ファイバ３１の挿入を容易にするため、貫通孔３４の径は光ファイバ３１の外径より大きくし、貫通孔３４内部で光ファイバ３１は緩やかに保持される構造となっている。光ファイバ収容部材３３は合成樹脂を材質として押出成型で作製する。予め工場において、両面接着テープの表面を光ファイバ収容部材３３と接着し、光ファイバ３１を光ファイバ収容部材３３に収容した状態とし、壁面と接着する両面接着テープの裏面側にシートを載せた状態で施工現場へ持ち込む。施工時には、壁面と接着する両面接着テープの裏面側のシートを剥ぎ取りながら、光ファイバ配線具を壁面に取り付ける。光ファイバ配線部品と光ファイバを一体化したため、１工程で光ファイバの配線が実現する。光ファイバを紫外線硬化樹脂で被覆した場合、光ファイバは透明となる。光ファイバ収容部材も透明部材を使用することで光ファイバ配線具が透明となり、特に美感に優れた住宅内光ファイバ配線を実現できる。
【００２７】
尚、光ファイバ３１の代わりに、光ファイバコードを使用した場合、光ファイバ３１を使用した場合と同様に実施できる。光ファイバコードの外径は１．１ｍｍや２．０ｍｍであるため、光ファイバ３１を使用した場合に比べて光ファイバ収容部材のサイズも大きくなり、貫通孔の径もより大きくする必要がある。
【００２８】
また、光ファイバ３１の代わりに、インドア光ファイバやドロップ光ファイバを使用した場合、光ファイバ３１を使用した場合と同様に実施できる。インドア光ファイバやドロップ光ファイバを使用した場合は、インドア光ファイバやドロップ光ファイバの外形に合わせて光ファイバ収容部の貫通孔の形状を矩形とする。
【００２９】
図４は本発明の第４の実施形態に係る光ファイバ配線具を示す構成説明斜視図である。図４に示すように、光ファイバ４１には紫外線硬化樹脂等よりなる保護被覆４２が設けられ、前記光ファイバ４１は長手方向に沿って光ファイバ収容部材４３に収容される。前記光ファイバ収容部材４３は細長い四角筒よりなり、中心軸部に断面四角形の貫通孔４４が設けられ、前記貫通孔４４の表面には軸方向に光ファイバ入出用の割り部４５が設けられる。前記割り部４５は２つの方持ち梁部が重なるような形状としており、光ファイバ４１を一旦挿入した後は故意に光ファイバ４１を取出そうとしない限りは光ファイバ収容部材４３から飛び出すことはない。前記貫通孔４４には光ファイバ４１が挿入されて収容される。前記光ファイバ収容部材４３は接着テープ４６の表面に接着され、前記接着テープ４６の裏面には接着剤が設けられる。
【００３０】
すなわち、住宅内の壁面へ光ファイバ４１を施工する場合、光ファイバ４１が挿入収容された光ファイバ収容部材４３を接着テープ４６の表面に接着して一体化した光ファイバ配線具を用い、接着テープ４６裏面の接着剤を壁面へ接着して施工する。したがって、１工程で壁面への光ファイバ４１の配線を実現でき、施工効率が向上する。
【００３１】
光ファイバ収容部材４３は光ファイバ４１を着脱自在な構造となっている。光ファイバ４１を光ファイバ収容部材４３から取出すときは、割り部４５に細い棒の形状をした治具を挿入して光ファイバ４１を引き出す。予め工場において、両面接着テープの片面を光ファイバ収容部材４３と接着し、光ファイバ４１を光ファイバ収容部材４３に収容した状態とし、壁面と接着する接着テープ４６の裏面側をシートを載せた状態で施工現場へ持ち込む。施工時には、壁面と接着する接着テープ４６の裏面側のシートを剥ぎ取りながら、光ファイバ配線具を壁面へ取り付ける。
【００３２】
光ファイバ配線部品と光ファイバを一体化したため、１工程で光ファイバの配線が実現する。光ファイバを紫外線硬化樹脂で被覆した場合、光ファイバは透明となる。光ファイバ収容部材も透明部材を使用することで光ファイバ配線具が透明となり、特に美感に優れた住宅内光ファイバ配線を実現できる。さらに、光ファイバを取出しが可能な構造としたことで、なんらかの事故等により光ファイバの不具合が発生した場合は、光ファイバ収容部材を壁面へ接着したまま、光ファイバのみを取出して新しい光ファイバと交換することができるため、保守性に優れた構造となっている。
【００３３】
尚、光ファイバ４１の代わりに、光ファイバコードを使用した場合、光ファイバ４１を使用した場合と同様に実施できる。光ファイバコードの外径は１．１ｍｍや２．０ｍｍであるため、光ファイバ４１を使用した場合に比べて光ファイバ収容部材のサイズも大きくする必要がある。
【００３４】
図５は本発明の第５の実施形態に係る光ファイバ配線具を示す構成説明斜視図である。図５に示すように、光ファイバ心線５１の長手方向に沿って両側にはテンションメンバ５２が並列に配置され、前記光ファイバ心線５１及びテンションメンバ５２は保護被覆５３で覆われてインドア光ファイバ５４が構成される。前記インドア光ファイバ５４は長手方向に沿って光ファイバ収容部材５５に収容される。前記光ファイバ収容部材５５は細長い四角筒よりなり、前記光ファイバ収容部材５５の側面には軸方向に光ファイバ入出用の割り部５６が設けられる。前記割り部５６は２つの方持ち梁部が重なるような形状としており、光ファイバ５１を一旦挿入した後は故意に光ファイバ５１を取出そうとしない限りは光ファイバ収容部材５５から飛び出すことはない。前記光ファイバ収容部材５５には光ファイバ５１が挿入されて収容される。前記光ファイバ収容部材５５は接着テープ５７の表面に接着され、前記接着テープ５７の裏面には接着剤が設けられる。
【００３５】
すなわち、住宅内の壁面へ光ファイバ５１を施工する場合、光ファイバ５１が挿入収容された光ファイバ収容部材５５を接着テープ５７の表面に接着して一体化した光ファイバ配線具を用い、接着テープ５７裏面の接着剤を壁面へ接着して施工する。したがって、１工程で壁面への光ファイバ５１の配線を実現でき、施工効率が向上する。
【００３６】
光ファイバ収容部材５５は光ファイバ５１を着脱可能な構造となっている。光ファイバ収容部材５５の接着テープ５７を接着していない面において、割り部５６が入った形状としている。インドア光ファイバ５４を光ファイバ収容部材５５に収容する場合は、インドア光ファイバ５４の挿入と取出しを容易にすることを目的として光ファイバ収容部材５５の断面における短辺へ割り部５６を設ける。インドア光ファイバ５４を光ファイバ収容部材５５から取出すときは、光ファイバ収容部材５５における割り部５６がある面の対面側より手で押し出すことでインドア光ファイバ５４を引き出す。予め工場において、両面接着テープの片面を光ファイバ収容部材と接着し、光ファイバ収容部材に光ファイバを収容した光ファイバ配線具の状態とし、壁面と接着する両面接着テープの接着剤層側にシートを載せた状態で施工現場へ持ち込む。施工時には、壁面と接着する両面接着テープの接着剤層側のシートを剥ぎ取りながら、光ファイバ配線具を壁面へ取り付ける。
【００３７】
光ファイバ配線部品と光ファイバを一体化したため、１工程で光ファイバの配線が実現する。光ファイバを取り出しが可能な構造としたことで、なんらかの事故等により光ファイバの不具合が発生した場合は、光ファイバ収容部材を壁面へ接着したまま、光ファイバのみを取り出して新しい光ファイバと交換することができるため、保守性に優れた構造となっている。
【００３８】
尚、光ファイバ５１の代わりに、光ファイバコードを使用した場合、光ファイバ５１を使用した場合と同様に実施できる。ドロップ光ファイバを使用した場合、支持線を分離した状態で住宅内へ引き込むため、インドア光ファイバを使用した形態と同様である。
【００３９】
図６は本発明の第６の実施形態に係る光ファイバ配線具を示す構成説明正面図である。図６に示すように、保護被覆が設けられた光ファイバ６１は長手方向に沿って接着テープ６２の表面に接着され、前記接着テープ６２の裏面には接着剤が設けられる。前記光ファイバ６１の長手方向の曲げ部（一部）には光ファイバ６１を挟むようにして接着テープ６２の両側部近傍の一部が切除された切除部６３が設けられ、接着テープ６２の幅が狭く形成される。
【００４０】
接着テープ６２の両側部近傍は、施工時に切断治具を用いて切断する。すなわち、切断していない状態で壁面へ接着しながら施工し、曲げたい箇所が発生したところで、切断治具を用いて接着テープ６２の両側部近傍を切断して幅狭部とする。そして、幅狭部で曲げながら壁面へ接着する。
すなわち、住宅内の壁面へ光ファイバ６１を施工する場合、接着テープ６２の表面に光ファイバ６１を接着して一体化した光ファイバ配線具を用い、接着テープ６２裏面の接着剤を壁面へ接着して施工する。この場合、切除部６３が設けられた接着テープ６２の幅狭部が例えば９０度の曲がり部になるようにして曲げ施工を容易にする。したがって、１工程で壁面への光ファイバ１１の配線を実現でき、施工効率が向上する。
【００４１】
曲げた箇所は、両面接着テープの一部を切り落として光ファイバ配線具の幅を狭くすることで曲げを容易にしている。両面接着テープの曲げたい箇所のみを幅を狭くすることで、直線部では壁面との接着面積を確保するだけの広い幅を持った構造とできる。直線部と曲げ部によらず、同一の光ファイバ配線具で配線できるため、施工効率が向上し、光ファイバ配線具の低コスト化も実現できる。
【００４２】
尚、前記光ファイバ収容部材または前記着脱可能光ファイバ収容部材を用いた場合にも第６の実施形態と同様に実施することができる。この場合、光ファイバの両側の両面接着テープ部だけでなく、光ファイバ収容部材または着脱可能な光ファイバ収容部材も切断治具により切除した切除部を設けて幅を狭くする。また、インドア光ファイバやドロップ光ファイバを用いた場合にも第６の実施形態と同様に実施することができる。この場合は、光ファイバのみと比べて幅広のため、テンションメンバ及び保護被覆も切除した切除部を設けて幅を狭くする。
【００４３】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４４】
【図１】本発明の第１の実施形態に係る光ファイバ配線具を示す構成説明斜視図である。
【図２】本発明の第２の実施形態に係る光ファイバ配線具を示す構成説明斜視図である。
【図３】本発明の第３の実施形態に係る光ファイバ配線具を示す構成説明斜視図である。
【図４】本発明の第４の実施形態に係る光ファイバ配線具を示す構成説明斜視図である。
【図５】本発明の第５の実施形態に係る光ファイバ配線具を示す構成説明斜視図である。
【図６】本発明の第６の実施形態に係る光ファイバ配線具を示す構成説明正面図である。
【符号の説明】
【００４５】
１１…光ファイバ、１２…保護被覆、１３…接着テープ。
【図１】
2008309894.tif 000003
【図２】
2008309894.tif 000004
【図３】
2008309894.tif 000005
【図４】
2008309894.tif 000006
【図５】
2008309894.tif 000007
【図６】
2008309894.tif 000008